(57)【特許請求の範囲】
【請求項１】
紙葉類を重ねて収納する収納部と、この収納部から紙葉類を繰り出す繰り出し部と、前記収納部内の紙葉類全体を前記繰り出し部側に押しつける移動可能な押圧体と、この押圧体を駆動する駆動手段とを有する紙葉類収納カセットにおいて、
手動で操作され、前記駆動手段を介して前記押圧体を移動させることで紙葉類全体を前記繰り出し部側に押しつけて押圧体を固定する固定手段と、前記押圧体が前記紙葉類全体を前記繰り出し部側に押しつけた際にその押付け力を調整する調整手段と、カセット筐体に設けた穴を備え、
輸送時には、前記調整手段の一部が前記穴から見える位置で前記押圧体を前記固定手段により固定して、押圧体と繰り出し部とで紙葉類全体を挟み込むことを特徴とする紙葉類収納カセット。
【請求項２】
紙葉類を重ねて収納する収納部と、この収納部から紙葉類を繰り出す繰り出し部と、前記収納部内の紙葉類全体を前記繰り出し部側に押しつける移動可能な押圧体と、この押圧体を駆動する駆動手段とを有する紙葉類収納カセットにおいて、
手動で操作される固定手段と、前記駆動手段に筐体外部からの動力を伝達する動力入力手段を設け、
前記固定手段は、輸送時にカセット筐体外部で固定する機構とし、かつ前記動力入力手段により駆動手段を介して前記押圧体を移動させることで紙葉類全体を前記繰り出し部側に押しつけて押圧体を固定することを特徴とする紙葉類収納カセット。
【請求項３】
請求項２において、
固定手段は、多段階的に固定する機構を備えたことを特徴とする紙葉類収納カセット。
【請求項４】
請求項２において、
固定手段を、カセット筐体から着脱可能にしたことを特徴とする紙葉類収納カセット。
【請求項５】
請求項２又は請求項４において、
固定手段の操作部を着脱可能としたことを特徴とする紙葉類収納カセット。
【発明の詳細な説明】
【０００１】
【発明の属する技術分野】
本発明は、紙葉類収納カセットに関し、さらに詳しくは、金融機関等の自動取引装置に使用される補充回収カセット等の紙葉類収納カセットに関し、特に、紙葉類収納カセットを輸送する際に有用な技術である。
【０００２】
【従来の技術】
以下、従来の紙葉類収納カセットとして自動取引装置に搭載される補充回収カセットについて説明する。
図８に、従来の補充回収カセットの説明図を示す。図８の（１）に示すように、補充回収カセット３には、上部に紙幣を繰り出す繰り出し部４が配置され、この繰り出し部４の下方に位置するステージ５上に紙幣Ｐが搭載されている。ステージ５は、収納枠６内を上下に移動可能になっており、自動取引装置への搭載時には図示しない機構によって上方に移動し、紙幣Ｐを繰り出し部４に押しつけるようになっている。
【０００３】
【発明が解決しようとする課題】
しかし、上記従来の補充回収カセット３は、自動取引装置から外されている場合には、図８の（１）に示すように、ステージ５は自重や紙幣Ｐの重さによって最下部に位置し、紙幣Ｐと繰り出し部４との間に空間Ｘを生じているため、輸送後には、図８の（２）に示すように、振動や衝撃により紙幣が移動し、正規のセット状態から崩れてしまう問題点があった。
【０００４】
さらに、補充回収カセット３は、管理上施錠されて特定の管理者しか開けられないように運用される場合には、管理者以外の輸送員は紙幣の崩れを発見したり紙幣の崩れを直したりすることができないため、崩れたまま自動取引装置に搭載してしまい、繰り出し不良が発生する問題点があった。
【０００５】
【課題を解決するための手段】
本発明は、紙葉類を重ねて収納する収納部と、この収納部から紙葉類を繰り出す繰り出し部と、前記収納部内の紙葉類全体を前記繰り出し部側に押しつける移動可能な押圧体と、この押圧体を駆動する駆動手段とを有する紙葉類収納カセットにおいて、  手動で操作され、前記駆動手段を介して前記押圧体を移動させることで紙葉類全体を前記繰り出し部側に押しつけて押圧体を固定する固定手段と、前記押圧体が前記紙葉類全体を前記繰り出し部側に押しつけた際にその押付け力を調整する調整手段と、カセット筐体に設けた穴を備え、輸送時には、前記調整手段の一部が前記穴から見える位置で前記押圧体を前記固定手段により固定して、押圧体と繰り出し部とで紙葉類全体を挟み込むことを特徴とする。
【０００６】
また、本発明は、紙葉類を重ねて収納する収納部と、この収納部から紙葉類を繰り出す繰り出し部と、前記収納部内の紙葉類全体を前記繰り出し部側に押しつける移動可能な押圧体と、この押圧体を駆動する駆動手段とを有する紙葉類収納カセットにおいて、手動で操作される固定手段と、前記駆動手段に筐体外部からの動力を伝達する動力入力手段を設け、前記固定手段は、輸送時にカセット筐体外部で固定する機構とし、かつ前記動力入力手段により駆動手段を介して前記押圧体を移動させることで紙葉類全体を前記繰り出し部側に押しつけて押圧体を固定することを特徴とする。
【０００７】
【発明の実施の形態】
以下、本発明の実施の形態を図面にしたがって説明する。なお、各図面に共通する要素には同一符号を付す。また、紙葉類収納カセットの一形態として、金融機関等の店舗に設置される自動取引装置に用いられる補充回収カセットを例として説明するが、これにより本発明が限定されるものではない。
【０００８】
第１の実施の形態
図１は、補充回収カセットの使用状態の説明図である。この補充回収カセット１０は、後述する着脱式アタッチメントを取り外した状態で、自動取引装置（以下「装置」という。）１に内蔵される紙幣入出金機２に着脱可能に搭載され、紙幣Ｐを収納するとともに紙幣入出金機２内への紙幣Ｐの補充・回収を行う収納機能等を備えている。このため、補充回収カセット１０は、収納機能を実現するために、紙幣Ｐを積載して上下動するステージ１１とこのステージ１１を上下動させる動力を伝達する後述するステージ駆動伝達機構とこのステージ駆動伝達機構に補充回収カセット１０の外部から動力を入力する入力部としてのカップリング１２を有する紙幣収納部１３、前記ステージ１１上の紙幣Ｐを繰り出す繰り出し部１４、紙幣入出金機２内の紙幣Ｐを内部に引き入れる集積部１５，１６、前記集積部１５から回収された紙幣Ｐを収納する回収部１７、および、紙幣Ｐの補充の際に出金用紙幣として不適と判定された紙幣Ｐを前記集積部１６から回収して収納するリジェクト紙幣収納部１８を備えている。
【０００９】
図２に、ステージ駆動伝達機構の概略図を示す。このステージ駆動伝達機構は、例えば、ステージ１１に固定したクランプ１９ａと、このクランプ１９ａの上下に接続した駆動ベルト１９ｂと、この駆動ベルト１９ｂを掛けたギア１９ｃ、プーリ１９ｄ，１９ｅ，１９ｆ，１９ｇ，１９ｈ，１９ｉ，１９ｊと、前記ギア１９ｃと噛み合うはすば歯車１９ｋと、このはすば歯車１９ｋと噛み合うはすば歯車１９ｌと、このはすば歯車１９ｌを軸着した前記カップリング１２とで構成する。これにより、外部からの動力がカップリング１２から入力されると、カップリング１２の回転がはすば歯車１９ｌとはすば歯車１９ｋを介してギア１９ｃに伝えられ、このギア１９ｃが回転することで、駆動ベルト１９ｂを介してクランプ１９ａに固定したステージ１１が補充回収カセット１０内を上へ移動する。なお、カップリング１２が外部と切断されると、ステージ１１は自重や紙幣Ｐの重さにより落下する。また、装置１に装着されている際には、カップリング１２は、図示しないカップリングと嵌合し、装置１の図示しないＣＰＵの制御によって外部からの力を入力されるようになっている。
【００１０】
したがって、ステージ１１は、補充回収カセット１０を装置１より外して外部に置いた状態や紙幣Ｐのセット時では外部動力と切り離されるため、自重及び紙幣Ｐの重さにより下がって図示せぬストッパに当たって止まり、繰り出し部１４と紙幣Ｐの間に空間ができる。この状態が従来の場合である。
そこで、本実施の形態では、補充回収カセット１０を装置１より外して外部に置いた状態や紙幣Ｐのセット時のように外部動力と切り離してある場合に、着脱式アタッチメントの作用によって、ステージ１１上の紙幣Ｐを繰り出し部１４に押し付けるようにしたものである。以下に、着脱式アタッチメントを補充回収カセット１０に実装した場合を説明する。
【００１１】
図３に補充回収カセットの着脱式アタッチメント実装状態の斜視図、図４にその側面図、図５にその正面図を示す。
この着脱式アタッチメント２０は、補充回収カセット１０の正面を覆う大きさの断面略コ字型のアタッチメントブラケット２１と、このアタッチメントブラケット２１の開口端の両側に形成した切り欠き部２２，２３と、この切り欠き部２２，２３の近傍に取り付けた板ばね２４，２５とを有している。また、板ばね２４，２５の自由端側は、折れ曲がった状態、ここでは、長手方向と平行な断面をみると鋸歯型に二つの略Ｌ字型部分を有するように成形してある。このため、着脱式アタッチメント２０は、補充回収カセット１０の両側面に設けたポスト２６，２７に切り欠き部２２，２３を嵌めて、ポスト２６，２７に板ばね２４，２５の略Ｌ字型部分を引っかけることで、図４の矢印Ａ，Ｂのように補充回収カセット１０の正面に着脱するようになっている。
【００１２】
また、着脱式アタッチメント２０には、ノブ２８が表面に突出して設けてある。このノブ２８は、保守員等の人手によって回されて、その回転力を前記カップリング１２に入力する駆動入力機構の一部である。この駆動入力機構は、ノブ２８の他に、アタッチメントブラケット２１の裏面側に取り付けられた部品からなっている。これらの部品は、シャフト２９、ラチェットホイール３０、カップリング３１、サブブラケット３２、ラチェット３３、ポスト３４及びスプリング３５である。前記アタッチメントブラケット２１の図示しない孔には、前記ノブ２８の中心軸に連結した前記シャフト２９を遊嵌してある。このシャフト２９には、前記ラチェットホイール３０と前記カップリング３１が取り付けてあり、このカップリング３１の部分が前記サブブラケット３２の図示しない孔に遊嵌してある。このため、ノブ２８、シャフト２９、ラチェットホイール３０及びカップリング３１からなる構造体は、アタッチメントブラケット２１とサブブラケット３２とによって支持され、ノブ２８を手で回されることによって、図５の矢印Ｃ，Ｄ方向に回転するようにしてある。なお、図４の矢印Ａのように、着脱式アタッチメント２０を補充回収カセット１０の正面へ取り付けると、カップリング３１とカップリング１２とが噛み合い、図４の矢印Ｂのように、着脱式アタッチメント２０を補充回収カセット１０の正面から取り外すと、カップリング３１とカップリング１２とが外れるようにするのが好ましい。
【００１３】
また、着脱式アタッチメント２０には、ラチェット３３が、アタッチメントブラケット２１とサブブラケット３２とに取り付けたポスト３４に軸着してある。特に図５に示すように、前記ラチェット３３は、左端側にスプリング３５が取り付けてあり、このスプリング３５により左端側を図中矢印Ｅ方向（下向き）に付勢してある。このため、ラチェット３３の右端側には図中矢印Ｆ方向（上向き）の力が働き、その先端がラチェットホイール３０の歯を引っ掛けて係合することで、ラチェットホイール３０が矢印Ｄ方向に回転するのを防止している。
【００１４】
また、アタッチメントブラケット２１には、作業員等が手でラチェット３３の左端側を矢印Ｆ方向に持ち上げるための角穴３６が設けてある。この角穴３６からラチェット３３を持ち上げることにより、ラチェット３３の右端側が矢印Ｅ方向に下がってラチェットホイール３０との係合が外れ、ラチェットホイール３０やノブ２８等の構造体の矢印Ｄ方向への回転が可能となる。
【００１５】
それでは、上記各図を参照して本実施の形態の作用を説明する。
補充回収カセット１０のステージ１１上に紙幣Ｐがセットされた状態では、ステージ１１は、紙幣Ｐと繰り出し部１４が接触しないように下方の図示せぬリミッタに当たって止まっている。この状態のとき、着脱式アタッチメント２０をカップリング１２とカップリング３１の凹凸が係合するように、かつ、補充回収カセット１０のポスト２６，２７が、それぞれ長穴２２，２３に差し込まれるよう図４の矢印Ａ方向にセットしていくと、板ばね２４，２５がそれぞれポスト２６，２７に引っ掛かり着脱式アタッチメント２０が補充回収カセット１０の正面に固定される。
【００１６】
次に、ノブ２８を矢印Ｃ方向に回転していくことにより、ステージ１１及び紙幣Ｐは上方向に移動していく。そして、紙幣Ｐが繰り出し部１４と接触すると、ノブ２８がそれ以上回転できなくなる。
このとき、作業員がノブ２８から手を離したとしても、ノブ２８と同軸上に固定されたラチェットホイール３０がラチェット３３によりロックされているため、ステージ１１と紙幣Ｐの自重による落下が止められ、繰り出し部１４によって紙幣Ｐの上部を押さえつけた状態となっている。このため、この状態で補充回収カセット１０を輸送しても紙幣Ｐが崩れることがない。
【００１７】
なお、ラチェットホイール３０とラチェット３３によって、ステージ１１の高さを任意の位置に固定できるため、紙幣Ｐの枚数の多少に係わることなく、紙幣Ｐの崩れを抑えることができる。
ところで、この状態で補充回収カセット１０を輸送した後、装置１に装着する際等には、着脱式アタッチメント２０を外す必要がある。この場合には、着脱式アタッチメント２０は、作業員がラチェット３３を角穴３６より矢印Ｆ方向に持ち上げてラチェットホイール３０のロックを解除する。すると、ステージ１１及び紙幣Ｐは自重により下側に下がり、図示せぬストッパに当たって止まる。このとき、ノブ２８等の構造体は矢印Ｄ方向に回転する。次に、作業員は、ノブ２８の回転が止まった後、着脱式アタッチメント２０を矢印Ｂ方向に引っ張ることにより、板ばね２２，２３をポスト２６，２７から外し、着脱式アタッチメント２０を補充回収カセット１０から取り外す。
【００１８】
上記第１の実施の形態によると、補充回収カセットの外部からの人手による操作によってその内部のステージを上下に移動して、適宜な位置に固定することができるようになる。このため、補充回収カセットの輸送時には、ステージを移動して紙幣を補充回収カセット内で押しつけて紙幣収納部分の空間をなくして輸送できるため、紙幣が崩れることがなくなる。したがって、輸送後に補充回収カセットを装置内に装填しても、紙幣が崩れていないため、紙幣の繰り出し不良を招くことがない。
【００１９】
第２の実施の形態
図６に、第２の実施の形態の着脱式アタッチメントの要部説明図を示す。図中、（１）は側面、（２）は正面を表す。以下では、上記第１の実施の形態との相違点を主に説明する。本実施の形態は、後述するように、着脱アタッチメント２０のノブ３８を着脱自在とした。
【００２０】
図において、本実施の形態の着脱式アタッチメント２０の駆動入力機構は、シャフト３７にラチェットホイール３０及びカップリング３１が固定してあり、アタッチメントブラケット２１とサブブラケット２６とで両側を回転可能に支持してある。前記シャフト３７は、アタッチメントブラケット２１の外部に向けて突出した断面略Ｄ字型のＤカット部３７ａを有している。このＤカット部３７ａにノブ３８を着脱可能に嵌め込むようになっている。なお、ノブ３８には、シャフト３７のＤカット部３７ａの形状にあわせたＤ溝３８ａを形成してある。
【００２１】
したがって、本実施の形態では、補充回収カセットを装置から取り外して、補充回収カセットに着脱式アタッチメントを実装し、ステージを上に移動させる操作の際には、シャフト３７のＤカット部３７ａにノブ３８のＤ溝３８ａを嵌合させて使用する。このようにＤカット部３７ａとＤ溝３８ａとで嵌合するので、ノブ３８の回転力をシャフト３７に伝達することができる。なお、Ｄカット部３７ａとＤ溝３８ａとによる嵌合の形態によらなくても、ノブ３８の回転力をシャフト３７に伝達することができる形状であればこれに限らない。そして、補充回収カセットの輸送時には、ノブ３８をシャフト３７から取り外して使用する。
【００２２】
上記第２の実施の形態によると、ノブの着脱を可能としたので、補充回収カセットの輸送時に、不注意や悪戯等によるノブの回転を防止できる。このため、適正な位置で紙幣を固定したまま補充回収カセットを輸送することができ、紙幣の傷付き等を防止できる効果が期待できる。
第３の実施の形態
図７に、第３の実施の形態の補充回収カセットの要部側面図を示す。以下では、上記第１の実施の形態との相違点を主に説明する。本実施の形態は、後述するように、図示しない着脱式アタッチメントによって補充回収カセット１０内のステージ１１を押し上げて繰り出し部１４の内の繰り出しローラ１４ｂに紙幣の上部を押しつけた際に、その押しつけ力を調整する調整機構を設けた。
【００２３】
図において、繰り出し部は、ゲートローラ１４ａとボス３９を軸４０上に軸着し、そのボス３９のステージ１１の上方に位置する部分に繰り出しローラ１４ｂを軸４１で軸着し、ローラ１４ｃをゲートローラ１４ａの下部に配置して構成する。前記軸４０は、補充回収カセット１０の筐体に取り付けてある。このため、ボス３９は、軸４０を中心に図中矢印Ｇ−Ｈ方向に回転できる。また、前記ボス３９は、ゲートローラ１４ａの上方に突起部４２を有し、この突起部４２にばね４３を接続してある。このばね４３は、繰り出しローラ１４ｂが繰り出しに必要な位置になる力で、図中矢印Ｉ方向にボス３９を付勢している。このため、ステージ１１がカップリング１２から入力される力で、図中矢印Ｊ方向（上方向）にボス３９が移動していって、紙幣Ｐが繰り出しローラ１４ｂを持ち上げると、ボス３９がばね４３の弾性力に抗して矢印Ｈ方向に回転する。このとき、矢印ｋ方向（下方向）に向けて力が紙幣Ｐに加わることになる。なお、ボス３９は、上下に設けた図示せぬリミッタによって、回転範囲を規制されているものとする。
【００２４】
また、補充回収カセット１０の筐体表面には、角穴４４が形成してあり、この角穴４４からボス３９のレバ４５が見えるようになっている。この角穴４４は、ステージ１１と繰り出しローラ１４ｂとで紙幣Ｐを挟み込んだ力が紙幣Ｐを傷めない力の場合に、レバ４５が見えるように配置してある。
したがって、本実施の形態では、補充回収カセット１０に着脱式アタッチメントを実装する際に、作業員がノブを回転していくと、上述のように、繰り出しローラ１４ｂが上方向に移動していく。そして、作業員は、角穴４４の範囲にレバ４５の上端部が見える位置になったことを確認すると、紙幣Ｐが適正な力で挟み込まれたと判断してノブの回転を止める。
【００２５】
上記第３の実施の形態によると、必要以上の負荷トルクで紙幣を挟み込むことを防ぎ、また、紙幣回収カセットにも大きい負荷を加えなくて済むようになる。このため、ノブの回しすぎによって紙幣を傷つけたり、装置の破損を防止する効果が期待できる。なお、上記各実施の形態では、着脱式アタッチメントの固定を板ばねとしたが、これに限らず、例えば、ロックレバを適用してもよい。
【００２６】
【発明の効果】
以上説明したように本発明の紙葉類収納カセットによると、固定手段によって押圧体を移動して、適宜な位置に固定することができるようになる。このため、輸送時には、押圧体を固定して、押圧体と繰り出し部とで紙葉類全体を挟み付けるようにしたため、紙葉類幣が崩れることがなくなる効果が得られる。したがって、輸送後に紙葉類収納カセットを自動取引装置等に装填しても、紙葉類が崩れていないため、紙葉類の繰り出し不良を招くことがない。
【００２７】
特に、管理上施錠されて特定の管理者しか開けられないように運用される場合には、筐体外部から押圧体を固定するようにすれば、管理者以外の輸送員でも操作できる。
【図面の簡単な説明】
【図１】補充回収カセットの使用状態の説明図
【図２】動力伝達機構の概略図
【図３】第１の実施の形態の補充回収カセットの斜視図
【図４】第１の実施の形態の補充回収カセットの側面図
【図５】第１の実施の形態の補充回収カセットの正面図
【図６】第２の実施の形態の補充回収カセットの要部説明図
【図７】第３の実施の形態の補充回収カセットの要部の側面図
【図８】従来の補充回収カセットの説明図
【符号の説明】
１０  補充回収カセット
１４  繰り出し部
１１  ステージ
１２  カップリング
２０  着脱式アタッチメント
【図１】
0004198249.tif 000002
【図２】
0004198249.tif 000003
【図３】
0004198249.tif 000004
【図４】
0004198249.tif 000005
【図５】
0004198249.tif 000006
【図６】
0004198249.tif 000007
【図７】
0004198249.tif 000008
【図８】
0004198249.tif 000009